(57)【要約】【課題】第一画像部及び第二画像部を配置する位置を変えることなく、第二画像と第一画像とが被転写体に転写される順番を、特殊トナーの種類に基づいて決めることができる画像形成装置を得る。【解決手段】第一画像部と第二画像部とは、被転写体の周回方向に並んで配置されており、第二画像部は、複数種の特殊トナーの中から一の特殊トナーを用いて第二画像を形成する。そして、第二画像と第一画像とが被転写体に転写される順番を、特殊トナーの種類に基づいて決めるようになっている。【選択図】図１
2019184642.tif 000002
【特許請求の範囲】
【請求項１】
基本色の基本トナーを用いて第一画像を形成する第一画像部と、
前記基本トナーとは異なる特殊トナーを用いて第二画像を形成する第二画像部と、
周回しながら前記第一画像及び前記第二画像が転写される被転写体と、
前記被転写体に転写された前記第一画像及び前記第二画像を記録媒体に転写する転写部材と、を備え、
前記第一画像部と前記第二画像部とは、前記被転写体の周回方向に並んで配置されており、
前記第二画像部は、複数種の特殊トナーの中から一の特殊トナーを用いて前記第二画像を形成し、
前記第二画像と前記第一画像とが前記被転写体に転写される順番を、前記特殊トナーの種類に基づいて決める画像形成装置。
【請求項２】
前記特殊トナーが、金属製の顔料を含む場合は、前記第一画像が前記被転写体に転写された後に、前記第二画像が前記被転写体に転写される請求項１に記載の画像形成装置。
【請求項３】
前記第一画像が前記被転写体に転写される前に、前記第二画像を前記被転写体に転写する指令を受けたときは、前記第一画像が前記被転写体に転写される前に、前記第二画像が前記被転写体に転写される請求項２に記載の画像形成装置。
【請求項４】
前記特殊トナーが、透明トナーである場合は、前記第一画像が前記被転写体に転写される前に、前記第二画像が前記被転写体に転写される請求項１に記載の画像形成装置。
【請求項５】
前記第一画像が前記被転写体に転写された後に、前記第二画像を前記被転写体に転写する指令を受けたときは、前記第一画像が前記被転写体に転写された後に、前記第二画像が前記被転写体に転写される請求項４に記載の画像形成装置。
【請求項６】
前記第二画像を記録媒体上で前記第一画像の下に形成する指令を受けたときは、前記第一画像が前記被転写体に転写された後に、前記第二画像が前記被転写体に転写される請求項４に記載の画像形成装置。
【請求項７】
前記特殊トナーが、白色トナーである場合は、前記第一画像が前記被転写体に転写された後に、前記第二画像が前記被転写体に転写される請求項１に記載の画像形成装置。
【請求項８】
前記第一画像が前記被転写体に転写される前に、前記第二画像を前記被転写体に転写する指令を受けたときは、前記第一画像が前記被転写体に転写される前に、前記第二画像が前記被転写体に転写される請求項７に記載の画像形成装置。
【請求項９】
前記第二画像を記録媒体上で前記第一画像の上に形成する指令を受けたときは、前記第一画像が前記被転写体に転写される前に、前記第二画像が前記被転写体に転写される請求項７に記載の画像形成装置。
【発明の詳細な説明】
【技術分野】
【０００１】
本発明は、画像形成装置に関する。
【背景技術】
【０００２】
特許文献１に記載の画像形成装置は、金属色のトナー画像を、電子写真方式により現像する金属色現像装置と、金属色現像装置によりトナー画像が表面に形成される中間転写体と、中間転写体から記録媒体にトナー画像を転写する転写装置とを備えている。
【先行技術文献】
【特許文献】
【０００３】
【特許文献１】特開２００２−２２９２９３号公報
【発明の概要】
【発明が解決しようとする課題】
【０００４】
基本トナーを用いて基本色（イエロー、マゼンタ、シアン、黒色）の第一画像を形成する第一画像部と、基本トナーとは異なる特殊トナーを用いて特殊色の第二画像を形成する第二画像部と、第一画像及び第二画像が転写される被転写体とを備えた画像形成装置がある。この画像形成装置では、第一画像と第二画像とが被転写体に転写される順番に基づいて、第一画像を形成する第一画像部と第二画像を形成する第二画像部とを配置する位置を変えなければならない。
【０００５】
本発明の課題は、第一画像部及び第二画像部を配置する位置を変えることなく、第二画像と第一画像とが被転写体に転写される順番を、特殊トナーの種類に基づいて決めることである。
【課題を解決するための手段】
【０００６】
本発明の請求項１に係る画像形成装置は、基本色の基本トナーを用いて第一画像を形成する第一画像部と、前記基本トナーとは異なる特殊トナーを用いて第二画像を形成する第二画像部と、周回しながら前記第一画像及び前記第二画像が転写される被転写体と、前記被転写体に転写された前記第一画像及び前記第二画像を記録媒体に転写する転写部材と、を備え、前記第一画像部と前記第二画像部とは、前記被転写体の周回方向に並んで配置されており、前記第二画像部は、複数種の特殊トナーの中から一の特殊トナーを用いて前記第二画像を形成し、前記第二画像と前記第一画像とが前記被転写体に転写される順番を、前記特殊トナーの種類に基づいて決めることを特徴とする。
【０００７】
本発明の請求項２に係る画像形成装置は、請求項１に記載の画像形成装置において、前記特殊トナーが、金属製の顔料を含む場合は、前記第一画像が前記被転写体に転写された後に、前記第二画像が前記被転写体に転写されることを特徴とする。
【０００８】
本発明の請求項３に係る画像形成装置は、請求項２に記載の画像形成装置において、前記第一画像が前記被転写体に転写される前に、前記第二画像を前記被転写体に転写する指令を受けたときは、前記第一画像が前記被転写体に転写される前に、前記第二画像が前記被転写体に転写されることを特徴とする。
【０００９】
本発明の請求項４に係る画像形成装置は、請求項１に記載の画像形成装置において、前記特殊トナーが、透明トナーである場合は、前記第一画像が前記被転写体に転写される前に、前記第二画像が前記被転写体に転写されることを特徴とする。
【００１０】
本発明の請求項５に係る画像形成装置は、請求項４に記載の画像形成装置において、前記第一画像が前記被転写体に転写された後に、前記第二画像を前記被転写体に転写する指令を受けたときは、前記第一画像が前記被転写体に転写された後に、前記第二画像が前記被転写体に転写されることを特徴とする。
【００１１】
本発明の請求項６に係る画像形成装置は、請求項４に記載の画像形成装置において、前記第二画像を記録媒体上で前記第一画像の下に形成する指令を受けたときは、前記第一画像が前記被転写体に転写された後に、前記第二画像が前記被転写体に転写されることを特徴とする。
【００１２】
本発明の請求項７に係る画像形成装置は、請求項１に記載の画像形成装置において、前記特殊トナーが、白色トナーである場合は、前記第一画像が前記被転写体に転写された後に、前記第二画像が前記被転写体に転写されることを特徴とする。
【００１３】
本発明の請求項８に係る画像形成装置は、請求項７に記載の画像形成装置において、前記第一画像が前記被転写体に転写される前に、前記第二画像を前記被転写体に転写する指令を受けたときは、前記第一画像が前記被転写体に転写される前に、前記第二画像が前記被転写体に転写されることを特徴とする。
【００１４】
本発明の請求項９に係る画像形成装置は、請求項７に記載の画像形成装置において、前記第二画像を記録媒体上で前記第一画像の上に形成する指令を受けたときは、前記第一画像が前記被転写体に転写される前に、前記第二画像が前記被転写体に転写されることを特徴とする。
【発明の効果】
【００１５】
本発明の請求項１の画像形成装置によれば、第一画像部及び第二画像部を配置する位置を変えることなく、第二画像と第一画像とが被転写体に転写される順番を、特殊トナーの種類に基づいて決めることができる。
【００１６】
本発明の請求項２の画像形成装置によれば、第二画像が第一画像よりも先に被転写体に転写される場合と比して、出力画像の品質の低下が抑制される  
【００１７】
本発明の請求項３の画像形成装置によれば、第一画像が被転写体に転写される前に、第二画像を被転写体に転写することができる。
【００１８】
本発明の請求項４の画像形成装置によれば、第一画像だけが被転写体に転写される場合と比して、出力画像に立体感を付与することができる。
【００１９】
本発明の請求項５の画像形成装置によれば、第一画像が被転写体に転写された後に、第二画像を被転写体に転写することができる。
【００２０】
本発明の請求項６の画像形成装置によれば、第一画像が被転写体に転写された後に、第二画像を被転写体に転写することができる。
【００２１】
本発明の請求項７の画像形成装置によれば、第一画像だけが被転写体に転写される場合と比して、出力画像に対する記録媒体の地色の影響を軽減することができる。
【００２２】
本発明の請求項８の画像形成装置によれば、第一画像が被転写体に転写される前に、第二画像を被転写体に転写することができる。
【００２３】
本発明の請求項９の画像形成装置によれば、第一画像が被転写体に転写される前に、第二画像を被転写体に転写することができる。
【図面の簡単な説明】
【００２４】
【図１】本発明の第１実施形態に係る画像形成装置のトナー画像形成部、及び転写部を示した構成図である。
【図２】本発明の第１実施形態に係る画像形成装置のトナー画像形成部、及び転写部を示した構成図である。
【図３】本発明の第１実施形態に係る画像形成装置のトナー画像形成部、及び転写部を示した構成図である。
【図４】本発明の第１実施形態に係る画像形成装置のトナー画像形成部を示した構成図である。
【図５】本発明の第１実施形態に係る画像形成装置の二次転写部を示した構成図である。
【図６】本発明の第１実施形態に係る画像形成装置の制御部の制御系を示したブロック図である。
【図７】本発明の第１実施形態に係る画像形成装置の制御部による制御フローを示したフロー図である。
【図８】本発明の第１実施形態に係る画像形成装置の制御部による制御フローを示したフロー図である。
【図９】本発明の第１実施形態に係る画像形成装置の制御部による制御フローを示したフロー図である。
【図１０】（Ａ）（Ｂ）（Ｃ）本発明の第１実施形態に係る画像形成装置で銀色トナーを用いた場合の転写順番を示した模式図である。
【図１１】（Ａ）（Ｂ）本発明の第１実施形態に係る画像形成装置で銀色トナーを用いた場合の転写順番を示した模式図である。
【図１２】（Ａ）（Ｂ）本発明の第１実施形態に係る画像形成装置で透明トナーを用いた場合の転写順番を示した模式図である。
【図１３】（Ａ）（Ｂ）（Ｃ）本発明の第１実施形態に係る画像形成装置で透明トナーを用いた場合の転写順番を示した模式図である。
【図１４】（Ａ）（Ｂ）（Ｃ）本発明の第１実施形態に係る画像形成装置で白色トナーを用いた場合の転写順番を示した模式図である。
【図１５】（Ａ）（Ｂ）本発明の第１実施形態に係る画像形成装置で白色トナーを用いた場合の転写順番を示した模式図である。
【図１６】本発明の第１実施形態に係る画像形成装置を示した概略構成図である。
【図１７】（Ａ）（Ｂ）本発明の第１実施形態に係る画像形成装置に用いる銀色トナーを示した断面図である。
【図１８】（Ａ）（Ｂ）本発明の第１実施形態に係る画像形成装置に用いる銀色トナーの金属製の顔料を示した面図である。
【図１９】本発明の第２実施形態に係る画像形成装置のトナー画像形成部、及び転写部を示した構成図である。
【図２０】本発明の第２実施形態に係る画像形成装置のトナー画像形成部、及び転写部を示した構成図である。
【図２１】本発明の第２実施形態に係る画像形成装置のトナー画像形成部、及び転写部を示した構成図である。
【図２２】本発明の第２実施形態に係る画像形成装置の制御部の制御系を示したブロック図である。
【図２３】（Ａ）（Ｂ）（Ｃ）本発明の第２実施形態に係る画像形成装置で銀色トナーを用いた場合の転写順番を示した模式図である。
【図２４】（Ａ）（Ｂ）（Ｃ）本発明の第２実施形態に係る画像形成装置で透明トナーを用いた場合の転写順番を示した模式図である。
【図２５】（Ａ）（Ｂ）本発明の第２実施形態に係る画像形成装置で透明トナーを用いた場合の転写順番を示した模式図である。
【図２６】（Ａ）（Ｂ）本発明の第２実施形態に係る画像形成装置で白色トナーを用いた場合の転写順番を示した模式図である。
【図２７】（Ａ）（Ｂ）（Ｃ）本発明の第２実施形態に係る画像形成装置で白色トナーを用いた場合の転写順番を示した模式図である。
【発明を実施するための形態】
【００２５】
≪第１実施形態≫
本発明の第１実施形態に係る画像形成装置の一例を図１〜図１８に従って説明する。なお、各図に示す矢印Ｈは鉛直方向であって装置上下方向を示し、矢印Ｗは、水平方向であって装置幅方向を示す。
【００２６】
＜画像形成装置の全体構成＞
画像形成装置１０は、図１６に示されるように、電子写真方式により画像を形成する画像形成部１２と、画像が形成されるシート部材Ｐ（記録媒体の一例）をシート部材Ｐの搬送経路１６に沿って搬送する複数の搬送部材（符号省略）とを備えている。
【００２７】
また、画像形成装置１０は、画像が形成されたシート部材Ｐを冷却する冷却部２０と、シート部材Ｐの湾曲を矯正する矯正部２２と、シート部材Ｐに形成された画像を検査する画像検査部２４と、を備えている。
【００２８】
さらに、画像形成装置１０は、シート部材Ｐの両面に画像を形成させる（両面印刷）ために、表面に画像が形成されたシート部材Ｐの表裏を反転させて再度画像形成部１２へ向けて搬送する反転経路２６を備えている。また、画像形成装置１０は、各部を制御する制御部７０を備えている。
【００２９】
上記構成による画像形成装置１０では、画像形成部１２によって形成されたトナー画像が、搬送経路１６に沿って搬送されるシート部材Ｐの表面に形成される。さらに、トナー画像が形成されたシート部材Ｐは、冷却部２０、矯正部２２、画像検査部２４をこの順番で通って装置の外部へ排出される。
【００３０】
一方、シート部材Ｐの裏面に画像を形成する場合は、表面に画像が形成されたシート部材Ｐが反転経路２６に沿って搬送され、再度画像形成部１２でシート部材Ｐの裏面に画像が形成される。
【００３１】
＜画像形成部１２＞
画像形成部１２は、図１に示されるように、各色のトナー画像を夫々形成する複数のトナー画像形成部３０と、トナー画像形成部３０で形成されたトナー画像をシート部材Ｐに転写する転写部３２とを備えている。さらに、画像形成部１２は、転写部３２によってシート部材Ｐに転写されたトナー画像をシート部材Ｐに定着する定着部３４（図１６参照）を備えている。
【００３２】
（トナー画像形成部３０）
トナー画像形成部３０は、色ごとにトナー画像を形成するように複数備えられている。本実施形態では、特殊色（Ｖ）、イエロー（Ｙ）、マゼンタ（Ｍ）、シアン（Ｃ）、ブラック（Ｋ）の計５色のトナー画像形成部３０が設けられている。そして、イエロー（Ｙ）、マゼンタ（Ｍ）、シアン（Ｃ）、ブラック（Ｋ）が、要求された色を再現するのに用いられる基本色である。また、図１等に示す（Ｖ）、（Ｙ）、（Ｍ）、（Ｃ）、（Ｋ）は、上記各色を示している。なお、以後の説明では、特殊色（Ｖ）、イエロー（Ｙ）、マゼンタ（Ｍ）、シアン（Ｃ）、及びブラック（Ｋ）を区別する必要が無い場合は、符号に付するＶ、Ｙ、Ｍ、Ｃ、及びＫを省略する。トナー画像形成部３０Ｙ、３０Ｍ、３０Ｃ、３０Ｋは、第一画像部の一例であって、トナー画像形成部３０Ｖは、第二画像部の一例である。また、特殊色（Ｖ）、及び特殊色（Ｖ）のトナーを用いて画像を形成する際の制御部７０による各部の制御等については後述する。
【００３３】
各色のトナー画像形成部３０は、用いるトナーを除き基本的に同様に構成されており、図４に示されるように、回転する円筒状の像保持体４０と、像保持体４０を帯電する帯電器４２とを備えている。さらに、トナー画像形成部３０は、帯電した像保持体４０に露光光を照射して静電潜像を形成する露光装置４４と、トナーを含んだ現像剤Ｇで静電潜像をトナー画像として現像する現像装置４６とを備えている。
【００３４】
さらに、各色のトナー画像形成部３０は、図１に示されるように、現像装置４６に供給されるトナーを収容するトナーカートリッジ７８を夫々備えている。また、各色の像保持体４０は、図１に示されるように、周回移動する転写ベルト５０（詳細は後述）に接触している。そして、転写ベルト５０の周回方向（図中矢印参照）において、上流側から特殊色（Ｖ）、イエロー（Ｙ）、マゼンタ（Ｍ）、シアン（Ｃ）、及びブラック（Ｋ）のトナー画像形成部３０が、この順番で水平方向に並んで配置されている。そして、各色のトナー画像形成部では、各色の画像を、各色のトナーを用いて形成するようになっている。
【００３５】
（転写部３２）
転写部３２は、図１に示されるように、複数のロール（符号省略）に巻き掛けられて図中矢印方向に周回する転写ベルト５０と、各色の像保持体４０に形成されたトナー画像を転写ベルト５０上に転写する各色の一次転写ロール５２とを備えている。転写ベルト５０は、被転写体の一例である。
【００３６】
一次転写ロール５２は、転写ベルト５０を挟んで像保持体４０の反対側に配置されている。そして、一次転写ロール５２は、図示しない給電部によって、トナー極性（本実施形態では一例として負極性）とは逆極性の転写バイアス電圧（正極の電圧）が印加されるようになっている。この転写バイアス電圧の印加によって一次転写ロール５２と像保持体４０との間に転写電流が流れ、像保持体４０に形成されたトナー画像が転写ベルト５０上に転写されるようになっている。
【００３７】
さらに、転写部３２は、転写ベルト５０が巻き掛けられた巻掛ロール５６と、転写ベルト５０を挟んで巻掛ロール５６の反対側に配置され、転写ベルト５０上に転写されたトナー画像をシート部材Ｐに転写する二次転写ロール５４とを備えている。これにより、二次転写ロール５４と転写ベルト５０との間には、シート部材Ｐにトナー画像を転写する転写ニップＮＴが形成されている。二次転写ロール５４は、転写部材の一例である。
【００３８】
そして、二次転写ロール５４は、図示しない給電部によって、トナー極性とは逆極性の転写バイアス電圧（正極の電圧）が印加されるようになっている。この転写バイアス電圧の印加によって二次転写ロール５４と巻掛ロール５６との間に転写電流が流れ、転写ニップＮＴを通過するシート部材Ｐに、転写ベルト５０からシート部材Ｐにトナー画像が転写される（形成される）ようになっている。
【００３９】
この構成において、特殊色（Ｖ）、イエロー（Ｙ）、マゼンタ（Ｍ）、シアン（Ｃ）、及びブラック（Ｋ）の順番で、転写ベルト５０上にトナー画像が一次転写ロール５２によって重畳して一次転写される。また、この重畳したトナー画像が、転写ニップＮＴを通過するシート部材Ｐに、二次転写ロール５４によって二次転写される。
【００４０】
なお、一次転写ロール５２及び巻掛ロール５６については、詳細を後述する。
【００４１】
＜要部構成＞
次に、特殊色（Ｖ）として用いられる特殊トナー、転写部３２の一次転写ロール５２及び巻掛ロール５６、及び制御部７０等について説明する。
【００４２】
（特殊トナー）
特殊トナーとしては、金属製の顔料を含む銀色トナー、透明トナー（所謂クリアトナー）、及び白色トナーが用いられる。つまり、複数種の特殊トナーの中から一の特殊トナーが、特殊色（Ｖ）のトナーとして用いられる。
【００４３】
−銀色トナー−
銀色トナーは、図１７（Ａ）（Ｂ）に示されるように、金属製の顔料の一例としての金属顔料１１０とバインダー樹脂１１１とを含んで形成されているトナーである。
【００４４】
銀色トナーを用いた銀色トナー画像Ｋ−２については、原則的に、銀色トナー画像Ｋ−２が、シート部材Ｐ上で基本トナー画像Ｋ−１と重ならないように形成される。これにより、銀色の金属光沢感のある画像が部分的（画像全体の一部）に形成される（図１０（Ｃ）参照）。
【００４５】
しかし、例外的に、画像密度５〔％〕の銀色トナー画像Ｋ−２が、シート部材Ｐ上で基本トナー画像Ｋ−１の上に形成されることで、画像全体に金属光沢感が付与された画像が形成される（図１１（Ｂ）参照）。この画像密度については、銀色トナー画像Ｋ−２が、画像全体に金属光沢感を付与する程度であればよく、基本トナー画像Ｋ−１が銀色トナー画像Ｋ−２を通して視認できればよい。このため、この画像密度については、５〔％〕に限定されるものではなく、例えば、４〔％〕以上８〔％〕以下でもよい。基本トナー画像Ｋ−１は、第一画像の一例であって、銀色トナー画像Ｋ−２は、第二画像の一例である。
【００４６】
なお、金属顔料１１０は、アルミニウムから形成されている。そして、金属顔料１１０を平面に置いて側方から見ると、金属顔料１１０は、図１８（Ｂ）に示されるように、図中左右方向の寸法が図中上下方向の寸法に対して長くなる形状とされている。
【００４７】
さらに、図１８（Ｂ）に示す金属顔料１１０を図中上方から見ると、金属顔料１１０は、図１８（Ａ）に示されるように、側方から見た形状に対して広がった形状とされる。また、顔料１１０は、顔料１１０を平面に置いた状態（図１８（Ｂ）参照）で、上方又は下方を向いた一対の反射面１１０Ａ（扁平面）を有している。そして、図１７（Ａ）（Ｂ）に示されるように、顔料１１０の反射面１１０Ａが向く方向を変えることで、画像から反射する反射光の方向を制御することができる。
【００４８】
−透明トナー−
透明トナーは、染料、顔料とバインダー樹脂とを含んで形成されているトナーで、染料、顔料等の着色剤の含有量が０．０１質量％以下である透明なトナーである。
【００４９】
透明トナーを用いた透明トナー画像Ｋ−３については、原則的に、画像密度１００〔％〕の透明トナー画像Ｋ−３が、シート部材Ｐ上で基本トナー画像Ｋ−１の上に重ねて形成されることで、立体感が付与された画像が形成される（図１２（Ｂ）参照）。この画像密度については、透明トナー画像Ｋ−３が、画像全体に立体感を付与する程度であればよく、透明トナー画像Ｋ−３が、シート部材Ｐ上で、基本トナー画像Ｋ−１の上に形成されていればよい。このため、この画像密度については、１００〔％〕に限定されるものではなく、例えば、７０〔％〕以上１００〔％〕以下でもよい。
【００５０】
しかし、例外的に、画像密度１００〔％〕の透明トナー画像Ｋ−３が、シート部材Ｐ上で基本トナー画像Ｋ−１の下に形成されることで、シート部材Ｐの表面が凹凸である影響が軽減された画像が形成される（図１３（Ｃ）参照）。この画像密度については、透明トナー画像Ｋ−３が、シート部材の凹凸を平坦化すればよく、透明トナー画像Ｋ−３が、シート部材Ｐ上で、基本トナー画像Ｋ−１の下に形成されていればよい。このため、この画像密度については、１００〔％〕に限定されるものではなく、例えば、７０〔％〕以上１００〔％〕以下でもよい。透明トナー画像Ｋ−３は、第二画像の一例である。
【００５１】
−白色トナー−
白色トナーとは、染料、顔料とバインダー樹脂とを含んで形成されているトナーで、白色着色剤をトナーに含有し、かつ分光色差計ＳＥ６０００（日本電色工業（株）製）によるＬ＊ａ＊ｂ＊の測定値（光源Ｄ６５２°）が、Ｌ＊：９０以上、ａ＊：５以下、ｂ＊：５以下であるトナーである。
【００５２】
白色トナーを用いた白色トナー画像Ｋ−４については、原則的に、画像密度１００〔％〕の白色トナー画像Ｋ−４が、シート部材Ｐ上で基本トナー画像Ｋ−１の下に重ねて形成されることで、シート部材Ｐの地色の影響が軽減された画像が形成される。この画像密度については、白色トナー画像Ｋ−４が、シート部材Ｐの地色を隠蔽すればよく、白色トナー画像Ｋ−４が、シート部材Ｐ上で、基本トナー画像Ｋ−１の下に形成されていればよい。このため、この画像密度については、１００〔％〕に限定されるものではなく、例えば、７０〔％〕以上１００〔％〕以下でもよい。
【００５３】
しかし、例外的に、画像密度５〔％〕の白色トナー画像Ｋ−４が、シート部材Ｐ上で基本トナー画像Ｋ−１の上に形成されることで、色に深みが付与された画像が形成される。この画像密度については、白色トナー画像Ｋ−４が、色に深みを付与する程度であればよく、基本トナー画像Ｋ−１が白色トナー画像Ｋ−４を通して視認できればよい。このため、この画像密度については、５〔％〕に限定されるものではなく、例えば、４〔％〕以上８〔％〕以下でもよい。白色トナー画像Ｋ−４は、第二画像の一例である。
【００５４】
（転写部３２）
転写部３２は、図４に示されるように、一次転写ロール５２を接触位置（図中実線）と離間位置（図中二点鎖線）とに案内するレール部材８６と、一次転写ロール５２を接触位置と離間位置とに移動させる移動部材８８（図６参照）とを備えている。具体的には、接触位置に移動した一次転写ロール５２は、像保持体４０との間で転写ベルト５０を挟み、転写ベルト５０を像保持体４０へ接触させるようになっている。また、離間位置に移動した一次転写ロール５２は、像保持体４０から離れ、転写ベルト５０を重力により像保持体４０から離間させるようになっている。転写ベルト５０は、被転写体の一例である。
【００５５】
さらに、転写部３２は、図５に示されるように、巻掛ロール５６を接触位置（図中実線）と離間位置（図中二点鎖線）とに案内するレール部材９６と、巻掛ロール５６を接触位置と離間位置とに移動させる移動部材９８（図６参照）とを備えている。具体的には、接触位置に移動した巻掛ロール５６は、二次転写ロール５４との間で転写ベルト５０を挟み、転写ベルト５０を二次転写ロール５４へ接触させるようになっている。また、離間位置に移動した巻掛ロール５６は、二次転写ロール５４から離れ、転写ベルト５０を転写ベルト５０の張力により二次転写ロール５４から離間させるようになっている。
【００５６】
（その他）
画像形成装置１０は、図６に示されるように、特殊トナーとして、どのトナーが用いられているかを検出する検出部８０を備えている。具体的には、検出部８０は、現像装置４６Ｖへ供給される特殊トナーが収容されたトナーカートリッジ７８Ｖ（図１参照）に貼り付けられた図示せぬバーコードを読み取る。そして、検出部８０は、銀色トナー、透明トナー、及び白色トナーの中でどのトナーが用いられているかを検出する。
【００５７】
さらに、画像形成装置１０の操作画面には、特殊トナーの転写順番を変更する切換ボタン８２（図６参照）が表示されている。この操作ボタン８２がユーザによって押されることで、特殊トナーは、例外的な使用で用いられるようになる。
【００５８】
具体的には、特殊トナーとして透明トナーを用いる場合は、切換ボタン８２が押されることで、画像密度１００〔％〕の透明トナー画像Ｋ−３が、シート部材Ｐ上で基本トナー画像Ｋ−１の下に形成される。つまり、転写ベルト５０上では、基本トナー画像Ｋ−１が転写ベルト５０上に転写された後に、画像密度１００〔％〕の透明トナー画像Ｋ−３が転写ベルト５０上に転写される。
【００５９】
また、特殊トナーとして白色トナーを用いる場合は、切換ボタン８２が押されることで、画像密度５〔％〕の白色トナー画像Ｋ−４が、シート部材Ｐ上で基本トナー画像Ｋ−１の上に形成される。つまり、転写ベルト５０上では、基本トナー画像Ｋ−１が転写ベルト５０上に転写される前に、画像密度５〔％〕の白色トナー画像Ｋ−４が転写ベルト５０上に転写される。
【００６０】
（制御部７０）
図６に示す制御部７０は、検出部８０の検出結果等から各部を制御するようになっている。なお、制御部７０による各部の制御については、後述する作用と共に説明する。
【００６１】
＜要部構成の作用＞
要部構成の作用について、図７〜図９に示すフロー図を用いて説明する。画像形成装置１０が稼動する前の状態では、各色の一次転写ロール５２、及び巻掛ロール５６は、接触位置に配置されている。
【００６２】
画像形成装置１０が画像形成指示を受けると、図７に示すステップＳ１００で、制御部７０は、検出部８０から、検出部８０の検出信号を受け取り、特殊トナーとして、銀色トナーが用いられるか否かを判断する。銀色トナーである場合は、ステップＳ２００へ移行し、それ以外の場合は、ステップＳ２２０へ移行する。
【００６３】
ステップＳ２００で、制御部７０は、銀色トナーを用いる画像形成指示を受けたか否かを判断する。銀色トナーを用いる画像形成指示を受けた場合は、ステップＳ３００へ移行し、それ以外の場合は、ステップＳ３１０へ移行する。
【００６４】
ステップＳ３００で、制御部７０は、銀色トナー画像Ｋ−２が、シート部材Ｐ上で基本トナー画像Ｋ−１と重ならないように形成される画像形成指示か否かを判断する。銀色トナー画像Ｋ−２が、シート部材Ｐ上で基本トナー画像Ｋ−１と重ならないように形成される画像形成指示である場合は、ステップＳ４００へ移行し、それ以外の場合は、ステップ４１０へ移行する。
【００６５】
ステップＳ４００で、制御部７０は、各部材を制御して、画像形成動作を開始させる。具体的には、制御部７０は、移動部材８８Ｖ、及び移動部材９８を制御して、図２に示されるように、一次転写ロール５２Ｖ、及び巻掛ロール５６を接触位置から離間位置に移動させる。この状態で、制御部７０は、基本色のトナー画像形成部３０Ｙ、３０Ｍ、３０Ｃ、３０Ｋによって基本色の基本トナー画像Ｋ−１を形成させ、基本トナー画像Ｋ−１を周回している転写ベルト５０上に転写させる。これにより、図１０（Ａ）に示されるように、転写ベルト５０上には、基本トナー画像Ｋ−１が形成される。そして、銀色トナー画像Ｋ−２が形成される部位には、基本トナー画像Ｋ−１が形成されていない。なお、図４を除く各図において、一次転写ロール５２が離間位置に配置された状態で、転写ベルト５０が像保持体４０と接触しているように示されているが、転写ベルト５０と像保持体４０とは、僅かに離間している。
【００６６】
さらに、基本トナー画像Ｋ−１が、巻掛ロール５６と二次転写ロール５４との間を通過すると、制御部７０は、移動部材８８Ｙ、８８Ｍ、８８Ｃ、８８Ｋ、８８Ｖ、及び移動部材９８を制御する。そして、図３に示されるように、一次転写ロール５２Ｖ、及び巻掛ロール５６を離間位置から接触位置に移動させ、一次転写ロール５２Ｙ、５２Ｍ、５２Ｃ、５２Ｋを接触位置から離間位置に移動させる。
【００６７】
この状態で、制御部７０は、トナー画像形成部３０Ｖによって銀色トナー画像Ｋ−２を形成させ、銀色トナー画像Ｋ−２を転写ベルト５０上に転写させる。これにより、図１０（Ｂ）に示されるように、銀色トナー画像Ｋ−２が、転写ベルト５０上で基本トナー画像Ｋ−１と重ならないように形成される。このように、特殊トナーが、金属顔料１１０を含む場合は、基本トナー画像Ｋ−１が転写ベルト５０上に転写された後に、銀色トナー画像Ｋ−２が転写ベルト５０に転写される。
【００６８】
つまり、転写ベルト５０上において基本トナー画像Ｋ−１が形成された部分を、画像を転写することなく転写ニップＮＴを通過させることで、基本トナー画像Ｋ−１が転写ベルト５０上に転写された後に、銀色トナー画像Ｋ−２が転写ベルト５０上に転写される。換言すれば、転写ベルト５０の周回方向において並んだ順番と、転写ベルト５０に転写する順番とを変えるために、転写ベルト５０に転写された先のトナー画像をシート部材Ｐに転写する位置を通過させた後に、後のトナー画像が転写ベルト５０に転写される。
【００６９】
さらに、転写ベルト５０上に形成された基本トナー画像Ｋ−１、及び銀色トナー画像Ｋ−２が、二次転写ロール５４によって、シート部材Ｐ上に転写され、シート部材Ｐに定着されると、制御部７０は、シート部材Ｐを装置の外部に排出させる。このようにして、図１０（Ｃ）に示されるように、銀色トナー画像Ｋ−２が、シート部材Ｐ上で基本トナー画像Ｋ−１と重ならないように形成される。
【００７０】
シート部材Ｐに対する画像形成動作が終了すると、制御部７０は、離間位置に配置されている一次転写ロール５２を接触位置に移動させて一連の動作が終了する。
【００７１】
一方、ステップＳ３００で、銀色トナー画像Ｋ−２が、シート部材Ｐ上で基本トナー画像Ｋ−１と重ならないように形成される画像形成指示ではない場合は、テップ４１０へ移行する。ステップＳ４１０で、制御部７０は、画像密度５〔％〕の銀色トナー画像Ｋ−２が、シート部材Ｐ上で基本トナー画像Ｋ−１の上に形成されるように各部材を制御して、画像形成動作を開始させる。
【００７２】
具体的には、制御部７０は、移動部材８８、及び移動部材９８を制御して、図１に示されるように、一次転写ロール５２、及び巻掛ロール５６が接触位置に配置されている状態を維持させる。この状態で、制御部７０は、基本色のトナー画像形成部３０Ｙ、３０Ｍ、３０Ｃ、３０Ｋによって基本色の基本トナー画像Ｋ−１を形成させ、かつ、銀色のトナー画像形成部３０Ｖによって画像密度５〔％〕の銀色の銀色トナー画像Ｋ−２を形成させる。そして、制御部７０は、周回している転写ベルト５０上に各画像を転写させる。これにより、図１１（Ａ）に示されるように、転写ベルト５０上には、銀色トナー画像Ｋ−２、及び基本トナー画像Ｋ−１がこの順番で形成される。
【００７３】
このように、前述した作用から分かるように、基本トナー画像Ｋ−１が転写ベルト５０に転写される前に、銀色トナー画像Ｋ−２を転写ベルト５０に転写する指令を受けたときに、ステップＳ３００からステップＳ４１０へ移行する。
【００７４】
さらに、転写ベルト５０上に形成された銀色トナー画像Ｋ−２、及び基本トナー画像Ｋ−１が、二次転写ロール５４によってシート部材Ｐ上に転写され、シート部材Ｐに定着されると、制御部７０は、シート部材Ｐを装置の外部に排出させる。このようにして、図１１（Ｂ）に示されるように、シート部材Ｐ上に基本トナー画像Ｋ−１、及び銀色トナー画像Ｋ−２がこの順番で形成される。
【００７５】
シート部材Ｐを装置の外部に排出させると一連の動作が終了する。
【００７６】
一方、ステップＳ２００で、銀色トナーを用いる画像形成指示でない場合は、ステップＳ３１０へ移行する。ステップＳ３１０で、制御部７０は、基本トナーだけを用いて画像を形成するように各部材を制御して、画像形成動作を開始させる。
【００７７】
具体的には、制御部７０は、移動部材８８、及び移動部材９８を制御して、図１に示されるように、一次転写ロール５２、及び巻掛ロール５６が接触位置に配置されている状態を維持させる。この状態で、制御部７０は、基本色のトナー画像形成部３０Ｙ、３０Ｍ、３０Ｃ、３０Ｋによって基本色の基本トナー画像Ｋ−１を形成させ、周回している転写ベルト５０上に各画像を転写させる。さらに、転写ベルト５０上に形成された基本トナー画像Ｋ−１が、二次転写ロール５４によって、シート部材Ｐ上に転写され、シート部材Ｐに定着されると、制御部７０は、シート部材Ｐを装置の外部に排出させる。このようにして、シート部材Ｐ上に基本トナー画像Ｋ−１が形成される。
【００７８】
シート部材Ｐを装置の外部に排出させると一連の動作が終了する。
【００７９】
一方、ステップＳ１００で、特殊トナーとして、銀色トナーが用いられていない場合は、ステップＳ２２０へ移行する。
【００８０】
ステップＳ２２０で、制御部７０は、検出部８０から受け取った検出信号より、特殊トナーとして、透明トナーが用いられるか否かを判断する。透明トナーである場合は、ステップＳ３２０へ移行し、透明トナーでない場合は白色トナーであると判断して、ステップＳ３５０へ移行する。
【００８１】
ステップＳ３２０で、制御部７０は、透明トナーを用いる画像形成指示を受けたか否かを判断する。透明トナーを用いる画像形成指示である場合は、ステップＳ４２０へ移行し、それ以外の場合は、ステップＳ４３０へ移行する。
【００８２】
ステップＳ４２０で、制御部７０は、操作ボタン８２が押されていないか否かを判断する。操作ボタン８２が押されてない場合は、ステップＳ５２０へ移行し、押されている場合は、ステップＳ５３０へ移行する。
【００８３】
ステップＳ５２０で、制御部７０は、透明トナー画像Ｋ−３が、シート部材Ｐ上で基本トナー画像Ｋ−１の上に形成されるように、各部材を制御して、画像形成動作を開始させる。
【００８４】
具体的には、制御部７０は、移動部材８８、及び移動部材９８を制御して、図１に示されるように、一次転写ロール５２、及び巻掛ロール５６が接触位置に配置されている状態を維持させる。この状態で、制御部７０は、基本色のトナー画像形成部３０Ｙ、３０Ｍ、３０Ｃ、３０Ｋによって基本色の基本トナー画像Ｋ−１を形成させる。さらに、制御部７０は、トナー画像形成部３０Ｖによって透明な透明トナー画像Ｋ−３を形成させ、周回している転写ベルト５０上に各画像を転写させる。これにより、図１２（Ａ）に示されるように、転写ベルト５０上には、透明トナー画像Ｋ−３、及び基本トナー画像Ｋ−１がこの順番で形成される。
【００８５】
さらに、転写ベルト５０上に形成された透明トナー画像Ｋ−３、及び基本トナー画像Ｋ−１が、二次転写ロール５４によって、シート部材Ｐ上に転写され、シート部材Ｐに定着されると、制御部７０は、シート部材Ｐを装置の外部に排出させる。このようにして、図１２（Ｂ）に示されるように、シート部材Ｐ上に基本トナー画像Ｋ−１、及び透明トナー画像Ｋ−３がこの順番で形成される。
【００８６】
シート部材Ｐを装置の外部に排出させると一連の動作が終了する。
【００８７】
一方、ステップＳ４２０で、操作ボタン８２が押されている場合は、ステップＳ５３０へ移行する。ステップＳ５３０で、制御部７０は、画像密度１００〔％〕の透明トナー画像Ｋ−３が、シート部材Ｐ上で基本トナー画像Ｋ−１の下に形成されるように各部材を制御して、画像形成動作を開始させる。
【００８８】
具体的には、制御部７０は、移動部材８８Ｖ、及び移動部材９８を制御して、図２に示されるように、一次転写ロール５２Ｖ、及び巻掛ロール５６を接触位置から離間位置に移動させる。この状態で、制御部７０は、基本色のトナー画像形成部３０Ｙ、３０Ｍ、３０Ｃ、３０Ｋによって基本色の基本トナー画像Ｋ−１を形成させ、基本トナー画像Ｋ−１を周回している転写ベルト５０上に転写させる。これにより、図１３（Ａ）に示されるように、転写ベルト５０上には、基本トナー画像Ｋ−１が形成される。
【００８９】
さらに、基本トナー画像Ｋ−１が、巻掛ロール５６と二次転写ロール５４との間を通過すると、制御部７０は、移動部材８８Ｙ、８８Ｍ、８８Ｃ、８８Ｋ、８８Ｖ、及び移動部材９８を制御する。そして、図３に示されるように、一次転写ロール５２Ｖ、及び巻掛ロール５６を離間位置から接触位置に移動させ、一次転写ロール５２Ｙ、５２Ｍ、５２Ｃ、５２Ｋを接触位置から離間位置に移動させる。
【００９０】
この状態で、制御部７０は、トナー画像形成部３０Ｖによって画像密度１００〔％〕の透明トナー画像Ｋ−３を形成させ、透明トナー画像Ｋ−３を転写ベルト５０上に転写させる。これにより、図１３（Ｂ）に示されるように、転写ベルト５０上には、基本トナー画像Ｋ−１、及び透明トナー画像Ｋ−３がこの順番で形成される。
【００９１】
つまり、転写ベルト５０上において基本トナー画像Ｋ−１が形成された部分を、画像を転写することなく転写ニップＮＴを通過させることで、基本トナー画像Ｋ−１が転写ベルト５０上に転写された後に、透明トナー画像Ｋ−３が転写ベルト５０上に転写される。換言すれば、転写ベルト５０の周回方向において並んだ順番と、転写ベルト５０に転写する順番とを変えるために、転写ベルト５０に転写された先のトナー画像をシート部材Ｐに転写する位置を通過させた後に、後のトナー画像が転写ベルト５０に転写される。
【００９２】
このように、前述した作用から分かるように、基本トナー画像Ｋ−１が転写ベルト５０に転写される後に、透明トナー画像Ｋ−３を転写ベルト５０に転写する指令を受けたときに、ステップＳ４２０からステップＳ５３０へ移行する。
【００９３】
さらに、転写ベルト５０上に形成された基本トナー画像Ｋ−１、及び透明トナー画像Ｋ−３が、二次転写ロール５４によって、シート部材Ｐ上に転写され、シート部材Ｐに定着されると、制御部７０は、シート部材Ｐを装置の外部に排出させる。このようにして、図１３（Ｃ）に示されるように、シート部材Ｐ上に、透明トナー画像Ｋ−３、及び基本トナー画像Ｋ−１がこの順番で形成される。
【００９４】
シート部材Ｐに対する画像形成動作が終了すると、制御部７０は、離間位置に配置されている一次転写ロール５２を接触位置に移動させて一連の動作が終了する。
【００９５】
一方、ステップＳ３２０で、透明トナーを用いない画像形成指示である場合は、ステップＳ４３０へ移行する。ステップＳ４３０で、制御部７０は、基本トナーだけを用いて画像を形成するように各部材を制御して、画像形成動作を開始させる。
【００９６】
具体的には、制御部７０は、移動部材８８、及び移動部材９８を制御して、図１に示されるように、一次転写ロール５２、及び巻掛ロール５６が接触位置に配置されている状態を維持させる。この状態で、制御部７０は、基本色のトナー画像形成部３０Ｙ、３０Ｍ、３０Ｃ、３０Ｋによって基本色の基本トナー画像Ｋ−１を形成させ、周回している転写ベルト５０上に各画像を転写させる。さらに、転写ベルト５０上に形成された基本トナー画像Ｋ−１が、二次転写ロール５４によって、シート部材Ｐ上に転写され、シート部材Ｐに定着されると、制御部７０は、シート部材Ｐを装置の外部に排出させる。このようにして、シート部材Ｐ上に基本トナー画像Ｋ−１が形成される。
【００９７】
シート部材Ｐを装置の外部に排出させると一連の動作が終了する。
【００９８】
一方、ステップＳ２２０で、特殊トナーとして、白色トナーが用いられると判断した場合は、ステップＳ３５０へ移行する。ステップＳ３５０で、制御部７０は、白色トナーを用いる画像形成指示を受けたか否かを判断する。白色トナーを用いる画像形成指示である場合は、ステップＳ４５０へ移行し、それ以外の場合は、ステップＳ４６０へ移行する。
【００９９】
ステップＳ４５０で、制御部７０は、操作ボタン８２が押されていないか否かを判断する。操作ボタン８２が押されてない場合は、ステップＳ５５０へ移行し、押されている場合は、ステップＳ５６０へ移行する。
【０１００】
ステップＳ５６０で、制御部７０は、画像密度１００〔％〕の白色トナー画像Ｋ−４が、シート部材Ｐ上で基本トナー画像Ｋ−１の下に形成されるように各部材を制御して、画像形成動作を開始させる。
【０１０１】
具体的には、制御部７０は、移動部材８８Ｖ、及び移動部材９８を制御して、図２に示されるように、一次転写ロール５２Ｖ、及び巻掛ロール５６を接触位置から離間位置に移動させる。この状態で、制御部７０は、基本色のトナー画像形成部３０Ｙ、３０Ｍ、３０Ｃ、３０Ｋによって基本色の基本トナー画像Ｋ−１を形成させ、基本トナー画像Ｋ−１を周回している転写ベルト５０上に転写させる。これにより、図１４（Ａ）に示されるように、転写ベルト５０上には、基本トナー画像Ｋ−１が形成される。
【０１０２】
さらに、基本トナー画像Ｋ−１が、巻掛ロール５６と二次転写ロール５４との間を通過すると、制御部７０は、移動部材８８Ｙ、８８Ｍ、８８Ｃ、８８Ｋ、８８Ｖ、及び移動部材９８を制御する。そして、図３に示されるように、一次転写ロール５２Ｖ、及び巻掛ロール５６を離間位置から接触位置に移動させ、一次転写ロール５２Ｙ、５２Ｍ、５２Ｃ、５２Ｋを接触位置から離間位置に移動させる。
【０１０３】
この状態で、制御部７０は、トナー画像形成部３０Ｖによって画像密度１００〔％〕の白色トナー画像Ｋ−４を形成させ、白色トナー画像Ｋ−４を転写ベルト５０上に転写させる。これにより、図１４（Ｂ）に示されるように、転写ベルト５０上には、基本トナー画像Ｋ−１、及び白色トナー画像Ｋ−４がこの順番で形成される。
【０１０４】
つまり、転写ベルト５０上において基本トナー画像Ｋ−１が形成された部分を、画像を転写することなく転写ニップＮＴを通過させることで、基本トナー画像Ｋ−１が転写ベルト５０上に転写された後に、白色トナー画像Ｋ−４が転写ベルト５０上に転写される。換言すれば、転写ベルト５０の周回方向において並んだ順番と、転写ベルト５０に転写する順番とを変えるために、転写ベルト５０に転写された先のトナー画像をシート部材Ｐに転写する位置を通過させた後に、後のトナー画像が転写ベルト５０に転写される。
【０１０５】
このように、前述した作用から分かるように、基本トナー画像Ｋ−１が転写ベルト５０に転写された前に、白色トナー画像Ｋ−４を転写ベルト５０に転写する指令を受けたときに、ステップＳ４５０からステップＳ５６０へ移行する。
【０１０６】
さらに、転写ベルト５０上に形成された基本トナー画像Ｋ−１、及び白色トナー画像Ｋ−４が、二次転写ロール５４によって、シート部材Ｐ上に転写され、シート部材Ｐに定着されると、制御部７０は、シート部材Ｐを装置の外部に排出させる。このようにして、図１４（Ｃ）に示されるように、シート部材Ｐ上に、白色トナー画像Ｋ−４、及び基本トナー画像Ｋ−１がこの順番で形成される。
【０１０７】
シート部材Ｐに対する画像形成動作が終了すると、制御部７０は、離間位置に配置されている一次転写ロール５２を接触位置に移動させて一連の動作が終了する。
【０１０８】
一方、ステップＳ４５０で、操作ボタン８２が押されている場合は、ステップＳ５６０へ移行する。ステップＳ５６０で、制御部７０は、画像密度５〔％〕の白色トナー画像Ｋ−４が、シート部材Ｐ上で基本トナー画像Ｋ−１の上に形成されるように各部材を制御して、画像形成動作を開始させる。
【０１０９】
具体的には、制御部７０は、移動部材８８、及び移動部材９８を制御して、図１に示されるように、一次転写ロール５２、及び巻掛ロール５６が接触位置に配置されている状態を維持させる。この状態で、制御部７０は、基本色のトナー画像形成部３０Ｙ、３０Ｍ、３０Ｃ、３０Ｋによって基本色の基本トナー画像Ｋ−１を形成させる。さらに、制御部７０は、トナー画像形成部３０Ｖによって画像密度５〔％〕の白色トナー画像Ｋ−４を形成させ、周回している転写ベルト５０上に各画像を転写させる。これにより、図１５（Ａ）に示されるように、転写ベルト５０上には、白色トナー画像Ｋ−４、及び基本トナー画像Ｋ−１がこの順番で形成される。
【０１１０】
さらに、転写ベルト５０上に形成された白色トナー画像Ｋ−４、及び基本トナー画像Ｋ−１が、二次転写ロール５４によって、シート部材Ｐ上に転写され、シート部材Ｐに定着されると、制御部７０は、シート部材Ｐを装置の外部に排出させる。このようにして、図１５（Ｂ）に示されるように、シート部材Ｐ上に基本トナー画像Ｋ−１、及び白色トナー画像Ｋ−４がこの順番で形成される。
【０１１１】
シート部材Ｐを装置の外部に排出させると一連の動作が終了する。
【０１１２】
一方、ステップＳ３５０で、白色トナーを用いない画像形成指示である場合は、ステップＳ４６０へ移行する。ステップＳ４６０で、制御部７０は、基本トナーだけを用いて画像を形成するように各部材を制御して、画像形成動作を開始させる。
【０１１３】
具体的には、制御部７０は、移動部材８８、及び移動部材９８を制御して、図１に示されるように、一次転写ロール５２、及び巻掛ロール５６が接触位置に配置されている状態を維持させる。この状態で、制御部７０は、基本色のトナー画像形成部３０Ｙ、３０Ｍ、３０Ｃ、３０Ｋによって基本色の基本トナー画像Ｋ−１を形成させ、周回している転写ベルト５０上に各画像を転写させる。さらに、転写ベルト５０上に形成された基本トナー画像Ｋ−１が、二次転写ロール５４によって、シート部材Ｐ上に転写され、シート部材Ｐに定着されると、制御部７０は、シート部材Ｐを装置の外部に排出させる。このようにして、シート部材Ｐ上に基本トナー画像Ｋ−１が形成される。
【０１１４】
シート部材Ｐを装置の外部に排出させると一連の動作が終了する。
【０１１５】
（まとめ）
以上説明したように、トナー画像形成部３０を配置する位置を変えることなく、基本トナー画像Ｋ−１と、銀色トナー画像Ｋ−２、透明トナー画像Ｋ−３、又は白色トナー画像Ｋ−４とが転写ベルト５０に転写される順番を、特殊トナーの種類に基づいて決めることができる。
【０１１６】
また、特殊トナーが、金属製の顔料を含む銀色トナーである場合は、原則的に、転写ベルト５０Ｐ上で基本トナー画像Ｋ−１と重ならないように形成される。そして、この場合に、基本トナー画像Ｋ−１が転写ベルト５０上に転写された後に、銀色トナー画像Ｋ‐２が転写ベルト５０上に転写される。
【０１１７】
ここで、金属製の顔料を含む銀色トナーは、基本トナーに比較して抵抗値が低いため、銀色トナー画像Ｋ−２が、基本トナー画像Ｋ−１よりも先に転写ベルト５０上に転写されると、下流側の一次転写工程において、基本色の像保持体４０に再転写（銀色トナーの一部が像保持体４０に付着）されてしまうことがある。しかし、本実施形態では、原則的に、基本トナー画像Ｋ−１が転写ベルト５０上に転写された後に、銀色トナー画像Ｋ‐２が転写ベルト５０上に転写されるため、銀色トナー画像Ｋ−２が基本トナー画像Ｋ−１よりも先に転写ベルト５０上に転写される場合と比して、銀色トナー画像Ｋ−２が基本色の像保持体４０に再転写（所謂リトランスファー）されてしまうのが抑制される。
【０１１８】
銀色トナー画像Ｋ−２が基本色の像保持体４０に再転写されてしまうのが抑制されることで、銀色トナー画像Ｋ−２が基本トナー画像Ｋ−１よりも先に転写ベルト５０上に転写される場合と比して、出力画像の品質の低下が抑制される。  
【０１１９】
また、基本トナー画像Ｋ−１が転写ベルト５０上に転写される前に、銀色トナー画像Ｋ−２を転写ベルト５０上に転写する指令を受けたときは、基本トナー画像Ｋ−１が転写ベルト５０上に転写される前に、画像密度５〔％〕の銀色トナー画像Ｋ−２が転写ベルト５０上に転写される。そして、画像密度５〔％〕の銀色トナー画像Ｋ−２が、シート部材Ｐ上で基本トナー画像Ｋ−１の上に形成される。これにより、画像密度５〔％〕の銀色トナー画像Ｋ−２が形成されない場合と比して、画像全体に金属光沢感が付与され、画像の見栄えが向上する。
【０１２０】
また、特殊トナーが、透明トナーである場合は、原則的に、基本トナー画像Ｋ−１が転写ベルト５０上に転写される前に、画像密度１００〔％〕の透明トナー画像Ｋ−３が転写ベルト５０上に転写される。そして、画像密度１００〔％〕の透明トナー画像Ｋ−３が、シート部材Ｐ上で基本トナー画像Ｋ−１の上に形成される。これにより、画像全体に立体感が付与され、画像の見栄えが向上する。
【０１２１】
また、操作ボタン８２が押されて、基本トナー画像Ｋ−１が転写ベルト５０上に転写された後に、画像密度１００〔％〕の透明トナー画像Ｋ−３を転写ベルト５０上に転写する指令を受けたときは、基本トナー画像Ｋ−１が転写ベルト５０上に転写された後に、透明トナー画像Ｋ−３が転写ベルト５０上に転写される。そして、画像密度１００〔％〕の透明トナー画像Ｋ−３が、シート部材Ｐ上で基本トナー画像Ｋ−１の下に形成される。これにより、透明トナー画像Ｋ−３によってシート部材Ｐの表面の凹凸が平坦化され、透明トナー画像Ｋ−３が形成されない場合と比して、出力画像の品質の低下が抑制される。
【０１２２】
また、特殊トナーが、白色トナーである場合は、原則的に、基本トナー画像Ｋ−１が転写ベルト５０上に転写された後に、画像密度１００〔％〕の白色トナー画像Ｋ−４が転写ベルト５０上に転写される。そして、画像密度１００〔％〕の白色トナー画像Ｋ−４が、シート部材Ｐ上で基本トナー画像Ｋ−１の下に形成される。これにより、白色トナー画像Ｋ−４が形成されない場合と比して、シート部材Ｐの地色の影響が軽減される。
【０１２３】
また、操作ボタン８２が押されて、基本トナー画像Ｋ−１が転写ベルト５０上に転写される前に、白色トナー画像Ｋ−４を転写ベルト５０上に転写する指令を受けたときは、基本トナー画像Ｋ−１が転写ベルト５０上に転写される前に、画像密度５〔％〕の白色トナー画像Ｋ−４が、転写ベルト５０上に転写される。そして、画像密度５〔％〕の白色トナー画像Ｋ−４が、シート部材Ｐ上で基本トナー画像Ｋ−１の上に形成される。これにより、白色トナー画像Ｋ−４が形成されない場合と比して、色に深みが生じる。
【０１２４】
≪第２実施形態≫
次に、第２実施形態に係る画像形成装置の一例を図１９〜図２７に従って説明する。なお、第２実施形態については、第１実施形態と異なる部分を主に説明する。
【０１２５】
（構成）
第２実施形態の画像形成装置３１０では、図１９に示されるように、転写ベルト５０の周回方向において、上流側からイエロー（Ｙ）、マゼンタ（Ｍ）、シアン（Ｃ）、ブラック（Ｋ）、及び特殊色（Ｖ）のトナー画像形成部３０が、この順番で並んで配置されている。さらに、画像形成装置３１０は、図２２に示されるように、各部を制御する制御部３７０を備えている。
【０１２６】
（作用）
−特殊トナーが銀色トナーの場合−  
銀色トナー画像Ｋ−２を、シート部材Ｐ上で基本トナー画像Ｋ−１と重ならないように形成させる場合は、制御部３７０は、各部材を制御して、画像形成動作を開始させる（図７のステップＳ４００）。
【０１２７】
具体的には、制御部３７０は、移動部材８８、及び移動部材９８を制御して、図１９に示されるように、一次転写ロール５２、及び巻掛ロール５６が接触位置に配置されている状態を維持させる。この状態で、制御部３７０は、基本色のトナー画像形成部３０Ｙ、３０Ｍ、３０Ｃ、３０Ｋによって基本色の基本トナー画像Ｋ−１を形成させ、かつ、銀色のトナー画像形成部３０Ｖによって銀色の銀色トナー画像Ｋ−２を形成させ、周回している転写ベルト５０上に各画像を転写させる。これにより、銀色トナー画像Ｋ−２が、転写ベルト５０上で基本トナー画像Ｋ−１と重ならないように形成される（図１０（Ｂ）参照）。つまり、基本トナー画像Ｋ−１が転写ベルト５０に転写された後に、銀色トナー画像Ｋ−２が転写ベルト５０に転写される。
【０１２８】
さらに、転写ベルト５０上に形成された銀色トナー画像Ｋ−２、及び基本トナー画像Ｋ−１が、二次転写ロール５４によって、シート部材Ｐ上に転写され、シート部材Ｐに定着されると、制御部３７０は、シート部材Ｐを装置の外部に排出させる。このようにして、銀色トナー画像Ｋ−２が、シート部材Ｐ上で基本トナー画像Ｋ−１と重ならないように形成される（図１０（Ｃ）参照）。
【０１２９】
これに対して、画像密度５〔％〕の銀色トナー画像Ｋ−２が、シート部材Ｐ上で基本トナー画像Ｋ−１の上に形成される場合は、制御部３７０は、各部材を制御して、画像形成動作を開始させる（図７のステップＳ４１０）。
【０１３０】
具体的には、制御部３７０は、移動部材８８Ｙ、８８Ｍ、８８Ｃ、８８Ｋ、及び移動部材９８を制御して、図２０に示されるように、一次転写ロール５２Ｙ、５２Ｍ、５２Ｃ、５２Ｋ、及び巻掛ロール５６を接触位置から離間位置に移動させる。この状態で、制御部３７０は、銀色トナーのトナー画像形成部３０Ｖによって画像密度５〔％〕の銀色トナー画像Ｋ−２を形成させ、銀色トナー画像Ｋ−２を周回している転写ベルト５０上に転写させる。これにより、図２３（Ａ）に示されるように、転写ベルト５０上には、銀色トナー画像Ｋ−２が形成される。
【０１３１】
さらに、銀色トナー画像Ｋ−２が、巻掛ロール５６と二次転写ロール５４との間を通過すると、制御部３７０は、移動部材８８Ｙ、８８Ｍ、８８Ｃ、８８Ｋ、８８Ｖ、及び移動部材９８を制御する。そして、図２１に示されるように、一次転写ロール５２Ｙ、５２Ｍ、５２Ｃ、５２Ｋ、及び巻掛ロール５６を離間位置から接触位置に移動させ、一次転写ロール５２Ｖを接触位置から離間位置に移動させる。
【０１３２】
この状態で、トナー画像形成部３０Ｙ、３０Ｍ、３０Ｃ、３０Ｋによって基本トナー画像Ｋ−１を形成させ、基本トナー画像Ｋ−１を転写ベルト５０上に転写させる。これにより、図２３（Ｂ）に示されるように、銀色トナー画像Ｋ−２が、転写ベルト５０上で基本トナー画像Ｋ−１の下に形成される。
【０１３３】
つまり、転写ベルト５０上において銀色トナー画像Ｋ−２が形成された部分を、画像を転写することなく転写ニップＮＴを通過させることで、銀色トナー画像Ｋ−２が転写ベルト５０上に転写された後に、基本トナー画像Ｋ−１が転写ベルト５０上に転写される。換言すれば、転写ベルト５０の周回方向において並んだ順番と、転写ベルト５０に転写する順番とを変えるために、転写ベルト５０に転写された先のトナー画像をシート部材Ｐに転写する位置を通過させた後に、後のトナー画像が転写ベルト５０に転写される。
【０１３４】
さらに、転写ベルト５０上に形成された銀色トナー画像Ｋ−２、及び基本トナー画像Ｋ−１が、二次転写ロール５４によって、シート部材Ｐ上に転写され、シート部材Ｐに定着されると、制御部３７０は、シート部材Ｐを装置の外部に排出させる。このようにして、図２３（Ｃ）に示されるように、シート部材Ｐ上に基本トナー画像Ｋ−１、及び銀色トナー画像Ｋ−２がこの順番で形成される。
【０１３５】
−特殊トナーが透明トナーの場合−
画像密度１００〔％〕の透明トナー画像Ｋ−３を、シート部材Ｐ上で基本トナー画像Ｋ−１の上に形成させる場合は、制御部３７０は、各部材を制御して、画像形成動作を開始させる（図８のステップＳ５２０）。
【０１３６】
具体的には、制御部３７０は、移動部材８８Ｙ、８８Ｍ、８８Ｃ、８８Ｋ、及び移動部材９８を制御して、図２０に示されるように、一次転写ロール５２Ｙ、５２Ｍ、５２Ｃ、５２Ｋ、及び巻掛ロール５６を接触位置から離間位置に移動させる。この状態で、制御部３７０は、透明トナーのトナー画像形成部３０Ｖによって画像密度１００〔％〕の透明トナー画像Ｋ−３を形成させ、透明トナー画像Ｋ−３を周回している転写ベルト５０上に転写させる。これにより、図２４（Ａ）に示されるように、転写ベルト５０上には、透明トナー画像Ｋ−３が形成される。
【０１３７】
さらに、透明トナー画像Ｋ−３が、巻掛ロール５６と二次転写ロール５４との間を通過すると、制御部３７０は、移動部材８８Ｙ、８８Ｍ、８８Ｃ、８８Ｋ、８８Ｖ、及び移動部材９８を制御する。そして、図２１に示されるように、一次転写ロール５２Ｙ、５２Ｍ、５２Ｃ、５２Ｋ、及び巻掛ロール５６を離間位置から接触位置に移動させ、一次転写ロール５２Ｖを接触位置から離間位置に移動させる。
【０１３８】
この状態で、トナー画像形成部３０Ｙ、３０Ｍ、３０Ｃ、３０Ｋによって基本トナー画像Ｋ−１を形成させ、基本トナー画像Ｋ−１を転写ベルト５０上に転写させる。これにより、図２４（Ｂ）に示されるように、転写ベルト５０上には、透明トナー画像Ｋ−３、及び基本トナー画像Ｋ−１がこの順番で形成される。
【０１３９】
つまり、転写ベルト５０上において透明トナー画像Ｋ−３が形成された部分を、画像を転写することなく転写ニップＮＴを通過させることで、透明トナー画像Ｋ−３が転写ベルト５０上に転写された後に、基本トナー画像Ｋ−１が転写ベルト５０上に転写される。換言すれば、転写ベルト５０の周回方向において並んだ順番と、転写ベルト５０に転写する順番とを変えるために、転写ベルト５０に転写された先のトナー画像をシート部材Ｐに転写する位置を通過させた後に、後のトナー画像が転写ベルト５０に転写される。
【０１４０】
さらに、転写ベルト５０上に形成された透明トナー画像Ｋ−３、及び基本トナー画像Ｋ−１が、二次転写ロール５４によって、シート部材Ｐ上に転写され、シート部材Ｐに定着されると、制御部３７０は、シート部材Ｐを装置の外部に排出させる。このようにして、図２４（Ｃ）に示されるように、シート部材Ｐ上に基本トナー画像Ｋ−１、及び透明トナー画像Ｋ−３がこの順番で形成される。
【０１４１】
これに対して、画像密度１００〔％〕の透明トナー画像Ｋ−３を、シート部材Ｐ上で基本トナー画像Ｋ−１の下に形成させる場合は、制御部３７０は、各部材を制御して、画像形成動作を開始させる（図８のステップＳ５３０）。
【０１４２】
具体的には、制御部３７０は、移動部材８８、及び移動部材９８を制御して、図１９に示されるように、一次転写ロール５２、及び巻掛ロール５６が接触位置に配置されている状態を維持させる。この状態で、制御部３７０は、基本色のトナー画像形成部３０Ｙ、３０Ｍ、３０Ｃ、３０Ｋによって基本色の基本トナー画像Ｋ−１を形成させ、かつ、トナー画像形成部３０Ｖによって透明トナー画像Ｋ−３を形成させ、周回している転写ベルト５０上に各画像を転写させる。これにより、図２５（Ａ）に示されるように、転写ベルト５０上には、基本トナー画像Ｋ−１、及び透明トナー画像Ｋ−３がこの順番で形成される。
【０１４３】
さらに、転写ベルト５０上に形成された透明トナー画像Ｋ−３、及び基本トナー画像Ｋ−１が、二次転写ロール５４によって、シート部材Ｐ上に転写され、シート部材Ｐに定着されると、制御部３７０は、シート部材Ｐを装置の外部に排出させる。このようにして、図２５（Ｂ）に示されるように、シート部材Ｐ上に透明トナー画像Ｋ−３、及び基本トナー画像Ｋ−１がこの順番で形成される。
【０１４４】
−特殊トナーが白色トナーの場合−
画像密度１００〔％〕の白色トナー画像Ｋ−４を、シート部材Ｐ上で基本トナー画像Ｋ−１の下に形成させる場合は、制御部３７０は、各部材を制御して、画像形成動作を開始させる（図９のステップＳ５５０）。
【０１４５】
具体的には、制御部３７０は、移動部材８８、及び移動部材９８を制御して、図１９に示されるように、一次転写ロール５２、及び巻掛ロール５６が接触位置に配置されている状態を維持させる。この状態で、制御部３７０は、基本色のトナー画像形成部３０Ｙ、３０Ｍ、３０Ｃ、３０Ｋによって基本色の基本トナー画像Ｋ−１を形成させ、かつ、トナー画像形成部３０Ｖによって白色トナー画像Ｋ−４を形成させ、周回している転写ベルト５０上に各画像を転写させる。これにより、図２６（Ａ）に示されるように、転写ベルト５０上には、基本トナー画像Ｋ−１、及び白色トナー画像Ｋ−４がこの順番で形成される。
【０１４６】
さらに、転写ベルト５０上に形成された白色トナー画像Ｋ−４、及び基本トナー画像Ｋ−１が、二次転写ロール５４によって、シート部材Ｐ上に転写され、シート部材Ｐに定着されると、制御部３７０は、シート部材Ｐを装置の外部に排出させる。このようにして、図２６（Ｂ）に示されるように、シート部材Ｐ上に白色トナー画像Ｋ−４、及び基本トナー画像Ｋ−１がこの順番で形成される。
【０１４７】
これに対して、画像密度５〔％〕の白色トナー画像Ｋ−４を、シート部材Ｐ上で基本トナー画像Ｋ−１の上に形成させる場合は、制御部３７０は、各部材を制御して、画像形成動作を開始させる（図９のステップＳ５６０）。
【０１４８】
具体的には、制御部３７０は、移動部材８８Ｙ、８８Ｍ、８８Ｃ、８８Ｋ、及び移動部材９８を制御して、図２０に示されるように、一次転写ロール５２Ｙ、５２Ｍ、５２Ｃ、５２Ｋ、及び巻掛ロール５６を接触位置から離間位置に移動させる。この状態で、制御部３７０は、白色トナーのトナー画像形成部３０Ｖによって画像密度５〔％〕の白色トナー画像Ｋ−４を形成させ、白色トナー画像Ｋ−４を周回している転写ベルト５０上に転写させる。これにより、図２７（Ａ）に示されるように、転写ベルト５０上には、白色トナー画像Ｋ−４が形成される。
【０１４９】
さらに、白色トナー画像Ｋ−４が、巻掛ロール５６と二次転写ロール５４との間を通過すると、制御部３７０は、移動部材８８Ｙ、８８Ｍ、８８Ｃ、８８Ｋ、８８Ｖ、及び移動部材９８を制御する。そして、図２１に示されるように、一次転写ロール５２Ｙ、５２Ｍ、５２Ｃ、５２Ｋ、及び巻掛ロール５６を離間位置から接触位置に移動させ、一次転写ロール５２Ｖを接触位置から離間位置に移動させる。
【０１５０】
この状態で、トナー画像形成部３０Ｙ、３０Ｍ、３０Ｃ、３０Ｋによって基本トナー画像Ｋ−１を形成させ、基本トナー画像Ｋ−１を転写ベルト５０上に転写させる。これにより、図２７（Ｂ）に示されるように、転写ベルト５０上には、白色トナー画像Ｋ−４、及び基本トナー画像Ｋ−１がこの順番で形成される。
【０１５１】
つまり、転写ベルト５０上において白色トナー画像Ｋ−４が形成された部分を、画像を転写することなく転写ニップＮＴを通過させることで、白色トナー画像Ｋ−４が転写ベルト５０上に転写された後に、基本トナー画像Ｋ−１が転写ベルト５０上に転写される。換言すれば、転写ベルト５０の周回方向において並んだ順番と、転写ベルト５０に転写する順番とを変えるために、転写ベルト５０に転写された先のトナー画像をシート部材Ｐに転写する位置を通過させた後に、後のトナー画像が転写ベルト５０に転写される。
【０１５２】
さらに、転写ベルト５０上に形成された白色トナー画像Ｋ−４、及び基本トナー画像Ｋ−１が、二次転写ロール５４によって、シート部材Ｐ上に転写され、シート部材Ｐに定着されると、制御部３７０は、シート部材Ｐを装置の外部に排出させる。このようにして、図２７（Ｃ）に示されるように、シート部材Ｐ上に基本トナー画像Ｋ−１、及び白色トナー画像Ｋ−４がこの順番で形成される。
【０１５３】
なお、第２実施形態の他の作用は、第１実施形態の作用と同様である。
【０１５４】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、金属製の顔料を含む特殊トナーとして銀色トナーを用いて説明したが、金属製の顔料を含む特殊トナーであればよく、例えば、金色トナーであってもよい。
【０１５５】
また、上記実施形態では、操作ボタン８２を押すことで、透明トナー及び白色トナーに対して例外的な使用をしたが、制御部７０、３７０が受取る画像形成指示に、例外的な使用をする指令が含まれてもよい。
【０１５６】
また、上記実施形態では、特に説明しなかったが、特殊トナーのトナーカートリッジ７８Ｖを他の種類の特殊トナーのトナーカートリッジ７８Ｖに交換する場合は、現像装置４６も交換してよい。
【０１５７】
また、上記実施形態では、特に説明しなかったが、全ての場合において、特殊トナーのトナー画像と、基本トナーの基本トナー画像Ｋ−１とを転写ベルト５０に転写する順番を指示する、指示ボタンを画像形成装置が備えてもよい。
【符号の説明】
【０１５８】
１０   画像形成装置
３０   トナー画像形成部（第一画像部の一例）
３０Ｙ      トナー画像形成部（第一画像部の一例）
３０Ｍ      トナー画像形成部（第一画像部の一例）
３０Ｃ      トナー画像形成部（第一画像部の一例）
３０Ｋ      トナー画像形成部（第一画像部の一例）
３０Ｖ      トナー画像形成部（第二画像部の一例）
５０   転写ベルト（被転写体の一例）
５４   二次転写ロール（転写部材の一例）
１１０      金属顔料（金属製の顔料の一例）
Ｋ−１  基本トナー画像（第一画像の一例）
Ｋ−２  銀色トナー画像（第二画像の一例）
Ｋ−３      透明トナー画像（第三画像の一例）
Ｋ−４      白色トナー画像（第四画像の一例）
【図１】
2019184642.tif 000003
【図２】
2019184642.tif 000004
【図３】
2019184642.tif 000005
【図４】
2019184642.tif 000006
【図５】
2019184642.tif 000007
【図６】
2019184642.tif 000008
【図７】
2019184642.tif 000009
【図８】
2019184642.tif 000010
【図９】
2019184642.tif 000011
【図１０】
2019184642.tif 000012
【図１１】
2019184642.tif 000013
【図１２】
2019184642.tif 000014
【図１３】
2019184642.tif 000015
【図１４】
2019184642.tif 000016
【図１５】
2019184642.tif 000017
【図１６】
2019184642.tif 000018
【図１７】
2019184642.tif 000019
【図１８】
2019184642.tif 000020
【図１９】
2019184642.tif 000021
【図２０】
2019184642.tif 000022
【図２１】
2019184642.tif 000023
【図２２】
2019184642.tif 000024
【図２３】
2019184642.tif 000025
【図２４】
2019184642.tif 000026
【図２５】
2019184642.tif 000027
【図２６】
2019184642.tif 000028
【図２７】
2019184642.tif 000029